(57)【要約】【課題】施肥装置内の肥料の排出及び清掃の効率化を図ることが可能な施肥装置を提供する。【解決手段】上部施肥機（第一上部施肥機１３０）と、下部施肥機１５０と、第一上部施肥機１３０及び下部施肥機１５０を支持する施肥フレーム１１０と、第一上部施肥機１３０の左右一側において、第一上部施肥機１３０を施肥フレーム１１０に対して上方回動可能に枢支する第一回動支持軸１６２と、第一ホッパ１３３の内部に配設され、第一ホッパ１３３に収容される肥料のうち所定の大きさ以下の肥料のみを第一繰り出し部１３６へと通過させる選別網２３０と、第一回動支持軸１６２と左右反対側の選別網端を、第一ホッパ１３３内部で上方回動可能に枢支する第二回動支持軸２３１と、を具備する。【選択図】図６
2010187599.tif 000002
【特許請求の範囲】
【請求項１】
肥料を収容するホッパ及び前記ホッパの下部に配設され肥料を所定量ずつ繰り出す繰り出し部を有する上部施肥機と、
前記繰り出し部より繰り出される肥料を施肥部近傍まで案内する施肥搬送部を有する下部施肥機と、
前記上部施肥機及び前記下部施肥機を支持する施肥フレームと、
前記上部施肥機の左右一側において、前記上部施肥機を前記施肥フレームに対して上方回動可能に枢支する第一回動支持軸と、
前記ホッパの内部に配設され、前記ホッパに収容される肥料のうち所定の大きさ以下の肥料のみを前記繰り出し部へと通過させる選別網と、
前記第一回動支持軸と左右反対側の前記選別網端を、前記ホッパ内部で上方回動可能に枢支する第二回動支持軸と、を具備する施肥装置。
【請求項２】
前記選別網は左右に分割され、
前記第二回動支持軸は、前記左右に分割された選別網のうち前記第一回動支持軸に最も近接する側の選別網端を枢支する請求項１に記載の施肥装置。
【請求項３】
前記選別網の上方回動角度を所定の角度において規制する規制部材を具備する請求項１又は請求項２に記載の施肥装置。
【発明の詳細な説明】
【技術分野】
【０００１】
本発明は、乗用田植機等の作業機械に具備され、圃場に施肥する施肥装置の技術に関し、特に施肥装置内の肥料の排出及び清掃の効率化を図るための技術に関する。
【背景技術】
【０００２】
従来、乗用田植機等の作業機械に具備され、圃場に施肥する施肥装置において、前記施肥装置のホッパ内に目の粗い網体を水平に嵌着する技術が公知となっている（例えば、特許文献１参照）。このように構成すると、湿気を吸収して固まった肥料塊が繰出機構に流下するのを阻止するとともに、ブリッジ現象によって肥料の流下が妨げられるのも防止することができる。
【０００３】
しかしながら、ホッパ内には前記網体が嵌着されており、また、前記ホッパは繰出機構の上部に上向きに開口部を設けて取り付けられるので、施肥作業終了後に残った肥料を作業者が施肥装置内の肥料の排出及び清掃を行うことは困難である。
【０００４】
そこで、前記施肥装置を作業姿勢とメンテナンス姿勢とに切り換え可能に構成する技術が公知となっている（例えば、特許文献２参照）。このように構成すると、前記ホッパ及び繰出機構を上方に回動させることにより、前記ホッパ内部に収容された肥料を容易に排出させることができる。
【０００５】
しかしながら、前記施肥装置のホッパ内に前記網体が嵌着された構造の場合、その網体により排出が阻害されて少し残り、これらをすべて排出するには網体を取り外す必要があり、排出作業に手間がかかっていた。
【先行技術文献】
【特許文献】
【０００６】
【特許文献１】特許第３５８５４４７号公報
【特許文献２】特開２００６−１０１７８３号公報
【発明の概要】
【発明が解決しようとする課題】
【０００７】
本発明は以上の如き状況に鑑み、施肥装置内の肥料の排出及び清掃の効率化を図ることが可能な施肥装置を提供するものである。
【課題を解決するための手段】
【０００８】
本発明の解決しようとする課題は以上の如くであり、次にこの課題を解決するための手段を説明する。
【０００９】
即ち、請求項１においては、肥料を収容するホッパ及び前記ホッパの下部に配設され肥料を所定量ずつ繰り出す繰り出し部を有する上部施肥機と、前記繰り出し部より繰り出される肥料を施肥部近傍まで案内する施肥搬送部を有する下部施肥機と、前記上部施肥機及び前記下部施肥機を支持する施肥フレームと、前記上部施肥機の左右一側において、前記上部施肥機を前記施肥フレームに対して上方回動可能に枢支する第一回動支持軸と、前記ホッパの内部に配設され、前記ホッパに収容される肥料のうち所定の大きさ以下の肥料のみを前記繰り出し部へと通過させる選別網と、前記第一回動支持軸と左右反対側の前記選別網端を、前記ホッパ内部で上方回動可能に枢支する第二回動支持軸と、を具備するものである。
【００１０】
請求項２においては、前記選別網は左右に分割され、前記第二回動支持軸は、前記左右に分割された選別網のうち前記第一回動支持軸に最も近接する側の選別網を枢支するものである。
【００１１】
請求項３においては、前記選別網の上方回動角度を所定の角度において規制する規制部材を具備するものである。
【発明の効果】
【００１２】
本発明の効果として、以下に示すような効果を奏する。
【００１３】
請求項１においては、上部施肥機を上方へ回動した際、選別網は自由に回動し、選別網（のそれぞれ左側端部）とホッパ（のそれぞれ内側）とが離間し隙間が形成されるので、ホッパ内の肥料、特に選別網の下方に残存する肥料をスムースに排出することができる。よって、施肥装置内の肥料の排出及び清掃の効率化を図ることができる。また、選別網は、第二回動支持軸により枢支されているため、上部施肥機の回動時に選別網が外れたり、取り付け位置がずれたりすることがない。
【００１４】
請求項２においては、上部施肥機を上方へ回動した際、（分割された選別網のうち第一回動支持軸に最も近接する側の）選別網は自由に回動し、前記選別網とホッパとが離間し隙間が形成されるので、前記ホッパ内の肥料、特に前記選別網の下方に残存する肥料をスムースに排出することができる。また、前記ホッパ内の肥料を排出するために回動させることが必要な前記選別網のみを回動可能に構成することにより、前記選別網の回動が肥料の排出を阻害することを防止することができる。よって、施肥装置内の肥料の排出及び清掃の効率化を図ることができる。
【００１５】
請求項３においては、上部施肥機を上方へ回動した際、選別網とホッパとの隙間の距離を予め設定することができるので、前記選別網が必要以上に回動することがなく、上側のホッパ内から落下する肥料の排出を阻害することを防止できる。よって、施肥装置内の肥料の排出及び清掃の効率化を図ることができる。
【図面の簡単な説明】
【００１６】
【図１】本発明の一実施形態に係る施肥装置を具備する乗用田植機を示す側面図。
【図２】本発明の一実施形態に係る施肥装置を示す背面図。
【図３】同じく背面斜視図。
【図４】同じく側面断面図。
【図５】同じく平面一部断面図。
【図６】選別網の回動態様を示す背面一部断面図。
【図７】本発明の他の実施形態に係る施肥装置の選別網の回動態様を示す背面一部断面図。
【図８】本発明の他の実施形態に係る施肥装置の選別網の回動態様を示す背面一部断面図。
【発明を実施するための形態】
【００１７】
まず、本発明に係る施肥装置の実施の一形態である施肥装置１００を具備する四条用の乗用田植機（以下、単に「田植機」と記す）１について説明する。
なお、以下では説明上、図中の矢印Ａの方向を「前方」と定義し、この前方に向かって左右及び後方を決定する。
【００１８】
図１に示すように、本実施形態における田植機１は、主に走行装置１０、昇降装置３０、植付装置４０、施肥装置１００等を備えている。
【００１９】
田植機１の走行装置１０は、主に車体フレーム１１、前輪１２・１２、後輪１３・１３、エンジン１４、ボンネット１５、車体カバー１６、ダッシュボード１７、操向ハンドル１８、運転席１９、支柱フレーム２０等を備えている。
【００２０】
田植機１の骨格を成す車体フレーム１１は、車体フレーム１１両側の前部を前輪１２・１２、後部を後輪１３・１３によって支持されている。車体フレーム１１の前部には、エンジン１４が搭載されており、エンジン１４を覆うようにボンネット１５が配設されている。
【００２１】
ボンネット１５の両側及びその後方には、車体フレーム１１の上面を覆うように車体カバー１６が配置されている。
車体カバー１６は、前低後高の略階段状に形成され、車体カバー１６の前部を、作業者が田植機１に乗り込む際のステップとしている。
【００２２】
ボンネット１５の後部には、田植機１を操作するレバーやスイッチ等の操作装置を備えるダッシュボード１７が配置されている。また、田植機１を操向するための操向ハンドル１８は、ボンネット１５の上方に突出するよう配設されている。
操向ハンドル１８の後方、車体フレーム１１の前後略中央上部には、作業者が着座するための運転席１９が配置されている。
【００２３】
車体フレーム１１の後部両側には左右一対の支柱フレーム２０が立設され、該支柱フレーム２０の上部に図示しない横梁フレームが横設されている。該支柱フレーム２０と横梁フレーム上に後述する施肥フレーム１１０が固設されている。
【００２４】
そして、走行装置１０の後方には、昇降装置３０が配置されており、田植機１は昇降装置３０によって、後述する植付装置４０を昇降自在に連結している。
【００２５】
植付装置４０は、圃場に苗を植え付けるものであり、主に苗載台４１、植付部４２（ロータリケース４４、植付爪４５）、フロート４３等を備えている。
【００２６】
苗載台４１は、車体フレーム１１の後方に、前高後低に傾斜するように配設され、その苗載台４１後方下部に植付部４２が配置されている。
植付部４２は、エンジン１４からの駆動力で回転するロータリケース４４、ロータリケース４４に取付けられ苗を圃場に植付ける植付爪４５等を備えている。
【００２７】
フロート４３は、植付装置４０を支えて圃場を整地するものであって、苗載台４１の下方に配置されている。
【００２８】
このようにして、田植機１は、前進走行とともに苗載台４１を横送り機構により左右に往復運動（摺動）させ、この往復運動に同期させてロータリケース４４と植付爪４５を駆動して、各条に一株分の苗を掻き取りながら、連続的に植付け作業を行う。
【００２９】
以下では、本発明に係る施肥装置の実施の一形態である施肥装置１００について説明する。なお、本実施形態において、施肥装置１００は、田植機１に対応した四条用であるものとして説明するが、本発明は当該条数を限定するものではない。
【００３０】
施肥装置１００は、植付装置４０による苗の植え付けに合わせて、圃場に肥料を供給するものである。施肥装置１００は、運転席１９の後方かつ植付装置４０の前方に配置される。図１から図５までに示すように、施肥装置１００は、主として施肥フレーム１１０、第一動力伝達機構１２０、第一上部施肥機１３０、第二上部施肥機１４０、下部施肥機１５０、第一回動機構１６０、第二回動機構１７０、連結機構１８０、解除機構１９０等を具備する。
【００３１】
図２から図４までに示すように、施肥フレーム１１０は、施肥装置１００の主たる構造体となるものである。施肥フレーム１１０は、主として支持板１１１・１１１、上フレーム１１２・１１２、下フレーム１１３・１１３、連結フレーム１１４・１１４、補助支持板１１５・１１５・・・等を具備する。
【００３２】
支持板１１１・１１１は、左右一対に立設される板状の部材である。支持板１１１は、互いに所定の間隔をおいて配置される。
【００３３】
上フレーム１１２・１１２は、矩形断面を有する中空棒状の部材である（図４参照）。上フレーム１１２・１１２は、その長手方向が左右方向に略一致するように配置される。上フレーム１１２・１１２は、支持板１１１・１１１の上側前後部にそれぞれ固設され、支持板１１１・１１１を互いに連結する。
【００３４】
下フレーム１１３・１１３は、円形断面を有する中空棒状の部材である（図４参照）。下フレーム１１３・１１３は、その長手方向が左右方向に略一致するように配置される。下フレーム１１３・１１３は、支持板１１１・１１１の下側前後部にそれぞれ固設され、支持板１１１・１１１を互いに連結する。
【００３５】
連結フレーム１１４・１１４は、板状の部材を背面視略Ｕ字状に折曲成形された部材である。連結フレーム１１４・１１４は、左右一対に配置され、前後の下フレーム１１３・１１３を互いに連結する。これによって、施肥フレーム１１０の剛性を高めている。
【００３６】
補助支持板１１５・１１５・・・は、板状の部材である。補助支持板１１５・１１５・・・は、支持板１１１・１１１の間に、互いに所定間隔をおいて支持板１１１・１１１と平行に配置される。
【００３７】
図４及び図５に示すように、第一動力伝達機構１２０は、エンジン１４から伝達された動力を、変速して伝達するものである。第一動力伝達機構１２０は、ブラケット１２１を介して施肥フレーム１１０の前部に設けられる。第一動力伝達機構１２０は、主として第一伝動軸１２２、変速装置１２３、第二伝動軸１２４、クラッチ１２５等を具備する。
【００３８】
第一伝動軸１２２は、その一端を図示せぬトランスミッションに連動連結されるものである。
【００３９】
変速装置１２３は、伝達される動力を変速するものである。変速装置１２３は、動力を変速するための歯車や軸等の部材から構成される。変速装置１２３には、その下方から第一伝動軸１２２の他端が連動連結される。
【００４０】
第二伝動軸１２４は、変速装置１２３において変速された動力を伝達するものである。第二伝動軸１２４の一端（前端）は、変速装置１２３に連動連結される。第二伝動軸１２４の他端（後端）は、変速装置１２３の後方に向かって突出される。
【００４１】
クラッチ１２５は、第二伝動軸１２４による動力の伝達を断接するものである。クラッチ１２５は、第二伝動軸１２４の中途部に設けられ、第二伝動軸１２４を前後に分離することにより、第二伝動軸１２４による動力の伝達を遮断することができる。
【００４２】
このように構成された第一動力伝達機構１２０において、エンジン１４から第一伝動軸１２２へと伝達された動力は、変速装置１２３によって変速され、第二伝動軸１２４へと伝達される。
【００４３】
図２から図５までに示すように、第一上部施肥機１３０は、主として第二動力伝達機構１３１、第一入力軸１３２、第一ホッパ１３３・１３３、蓋１３４、第一把持部１３５、第一繰り出し部１３６・１３６等を具備する。
【００４４】
図５に示すように、第二動力伝達機構１３１は、第一動力伝達機構１２０から第一入力軸１３２に動力を伝達するものである。第二動力伝達機構１３１は、動力伝達方向を変更するための歯車や軸等の部材から構成される。第二動力伝達機構１３１は、第一動力伝達機構１２０の後方に配置される。第二動力伝達機構１３１には、第二伝動軸１２４の他端（後端）が連動連結される。
【００４５】
図２、図４及び図５に示すように、第一入力軸１３２は、第二動力伝達機構１３１と連動連結されて動力を伝達するものである。第一入力軸１３２は、第二動力伝達機構１３１に挿通され、第二動力伝達機構１３１から左右に延設される。
【００４６】
第一ホッパ１３３・１３３は、第二動力伝達機構１３１の左右にそれぞれ並設され、肥料を収容する容器である。第一ホッパ１３３・１３３の上部及び下部は開口される。第一ホッパ１３３・１３３の下部は、漏斗状に形成される。第一ホッパ１３３・１３３は、互いに固設される。
第一ホッパ１３３・１３３が互いに対向する側の側面には、それぞれ切り欠き部１３３ａ・１３３ａが形成され、当該切り欠き部１３３ａ・１３３ａにより、互いの内部空間が連通される。本実施例では第一ホッパ１３３・１３３は一体的に形成されている。第一ホッパ１３３・１３３のうち右方の第一ホッパ１３３の右側面には、その内部と外部とを連通する連通孔１３３ｂが形成される（図３参照）。通常、連通孔１３３ｂは、当該連通孔１３３ｂを閉塞することが可能な栓体等により閉塞される。
また、図２及び図４に示すように、第一ホッパ１３３・１３３の内部には、それぞれ選別網２３０・２３０が具備される。なお、選別網２３０についての詳細な説明は後述する。
【００４７】
蓋１３４は、第一ホッパ１３３・１３３の上部を覆い、開口された第一ホッパ１３３・１３３の上部を閉塞するものである。
【００４８】
図５に示すように、第一把持部１３５は、棒状の部材を平面視略Ｕ字状に折曲成形された部材である。第一把持部１３５は、第二動力伝達機構１３１の左方に配設される第一ホッパ１３３に固設される。より詳細には、第一把持部１３５の一端は、第一ホッパ１３３の下部前側面に固設される。第一把持部１３５の他端は、ブラケット１３５ａを介して第一ホッパ１３３の下部左側面に固設される。
【００４９】
図２及び図４に示すように、第一繰り出し部１３６・１３６は、第一ホッパ１３３・１３３の下部にそれぞれ配設され、第一ホッパ１３３・１３３に収容された肥料を所定量ずつ繰り出すものである。第一繰り出し部１３６は、主として上収容部１３６ａ、繰り出し機構１３６ｂ、下収容部１３６ｃ等を具備する。
【００５０】
上収容部１３６ａは、第一ホッパ１３３から落下した肥料を受け入れる容器である。上収容部１３６ａの上部及び下部は開口される。開口された上収容部１３６ａの上部は、開口された第一ホッパ１３３の下部と接続される。
【００５１】
繰り出し機構１３６ｂは、上収容部１３６ａに収容された肥料を所定量ずつ繰り出すものである。繰り出し機構１３６ｂは、第一入力軸１３２に固設される駆動ベベルギヤ１３６ｄ、駆動ベベルギヤと噛合する従動ベベルギヤ１３６ｅ、及び従動ベベルギヤに固設される繰り出し軸１３６ｆを介して伝達される動力により駆動される。
【００５２】
下収容部１３６ｃは、繰り出し機構１３６ｂを介して供給される肥料を受け入れる容器である。下収容部１３６ｃは、繰り出し機構１３６ｂの下方に配置される。下収容部１３６ｃの上部及び下部は開口される。下収容部１３６ｃは、漏斗状に形成される。
【００５３】
このように構成された第一上部施肥機１３０において、第一動力伝達機構１２０から第二動力伝達機構１３１へと伝達された動力は、第二動力伝達機構１３１において変速され、第一入力軸１３２へと伝達される。第一入力軸１３２へと伝達された動力は、駆動ベベルギヤ１３６ｄ及び従動ベベルギヤ１３６ｅを介して繰り出し軸１３６ｆへと伝達される。繰り出し軸１３６ｆに伝達された動力により、繰り出し機構１３６ｂが駆動され、第一ホッパ１３３内に収容された肥料は、上収容部１３６ａ及び繰り出し機構１３６ｂを介して下収容部１３６ｃへと供給される。
【００５４】
図２から図５までに示すように、第二上部施肥機１４０は、主として第二入力軸１４２、第二ホッパ１４３、蓋１４４、第二把持部１４５、第二繰り出し部１４６等を具備する。第二上部施肥機１４０は、第一上部施肥機１３０の左方に並設される。
【００５５】
図２及び図５に示すように、第二入力軸１４２は、第二動力伝達機構１３１からの動力を伝達するものである。第二入力軸１４２は、第一入力軸１３２と同一軸線上に配置される。第二入力軸１４２は、連結機構１８０を介して、第一入力軸１３２と連動連結される。また、連結機構１８０による第一入力軸１３２と第二入力軸１４２との連結は、解除機構１９０により解除することができる。
【００５６】
第二ホッパ１４３・１４３は、第一ホッパ１３３・１３３の左方に並設され、肥料を収容する容器である。第二ホッパ１４３・１４３の構成は、前述した第一ホッパ１３３・１３３の構成と略同一であるため、その説明については省略する。第二ホッパ１４３・１４３のうち左方の第二ホッパ１４３の左側面には、その内部と外部とを連通する連通孔１４３ｂが形成される（図３参照）。通常、連通孔１４３ｂは、当該連通孔１４３ｂを閉塞することが可能な栓体等により閉塞される。
また、図２に示すように、第二ホッパ１４３・１４３の内部には、それぞれ選別網２４０・２４０が具備される。
【００５７】
蓋１４４は、第二ホッパ１４３・１４３の上部を覆い、開口された第二ホッパ１４３・１４３の上部を閉塞するものである。
【００５８】
図５に示すように、第二把持部１４５は、棒状の部材を平面視略Ｕ字状に折曲成形された部材である。第二把持部１４５は、２つの第二ホッパ１４３・１４３のうち右方の第二ホッパに固設される。より詳細には、第二把持部１４５の一端は、第二ホッパ１４３の下部前側面に固設される。第二把持部１４５の他端は、ブラケット１４５ａを介して第二ホッパ１４３の下部右側面に固設される。
【００５９】
図２に示すように、第二繰り出し部１４６・１４６は、第二ホッパ１４３・１４３の下部にそれぞれ配設され、第二ホッパ１４３・１４３に収容された肥料を所定量ずつ繰り出すものである。第二繰り出し部１４６・１４６は、第二入力軸１４２により伝達される動力により駆動される。
第二繰り出し部１４６は、主として上収容部１４６ａ、繰り出し機構、下収容部等を具備する。第二繰り出し部１４６の構成は、前述した第一繰り出し部１３６の構成と略同一であるため、その説明については省略する。
【００６０】
図１から図４までに示すように、下部施肥機１５０は、主として施肥搬送部１５１・１５１・・・、施肥部１５２・１５２・・・、送風部１５３等を具備する。
【００６１】
図４に示すように、施肥搬送部１５１・１５１・・・は、第一繰り出し部１３６及び第二繰り出し部１４６より繰り出される肥料を案内するものである。施肥搬送部１５１は、主として接続管１５１ａ、搬送ホース１５１ｂ等を具備する。
【００６２】
接続管１５１ａは、長手方向が前後方向となるように配置された略筒状の部材である。接続管１５１ａの中途部には、第一繰り出し部１３６（又は第二繰り出し部１４６）の下部が接続される。
【００６３】
搬送ホース１５１ｂは、軟質合成樹脂等により形成された屈曲可能な部材である。搬送ホース１５１ｂの一端は、接続管１５１ａの後端に接続される。搬送ホース１５１ｂの他端は、植付部４２近傍まで延設される（図１参照）。
【００６４】
図１に示すように、施肥部１５２・１５２・・・は、圃場面に作溝して、その部分に肥料を落下させるものである。施肥部１５２は、植付部近傍において、搬送ホース１５１ｂの他端に接続される。
【００６５】
図２から図４までに示すように、送風部１５３は、施肥搬送部１５１内に風を供給し、肥料の搬送を補助するものである。送風部１５３は、主として送風機１５３ａ、送風管１５３ｂ等を具備する。
【００６６】
送風機１５３ａは、空気に圧力を加えて吐出するものであり、施肥フレーム１１０の左端部に配設される。送風機１５３ａは、ファンやブロワ等により構成される。
【００６７】
送風管１５３ｂは、長手方向が左右方向となるように配置された略筒状の部材である。送風管１５３ｂの一端は、送風機１５３ａの吐出口に接続される。送風管１５３ｂの他端は、閉塞される。送風管１５３ｂは、その中途部において、接続管１５１ａの前端とそれぞれ接続される。
【００６８】
このように構成された下部施肥機１５０において、第一上部施肥機１３０及び第二上部施肥機１４０から接続管１５１ａへと供給された肥料は、送風部１５３から供給される風により、搬送ホース１５１ｂを介して施肥部１５２へと搬送される。施肥部１５２は、圃場に溝を作りながら、肥料を圃場に放出する。
【００６９】
図２及び図３に示すように、第一回動機構１６０は、第一上部施肥機１３０を施肥フレーム１１０に対して上方回動可能に支持するものである。第一回動機構１６０は、主として第一枢支ブラケット１６１・１６１、第一回動支持軸１６２等を具備する。
【００７０】
第一枢支ブラケット１６１は、第一上部施肥機１３０の右側面に固設される、板状の部材である。第一枢支ブラケット１６１の下端は、施肥フレーム１１０の右側方まで下方に延設される。
【００７１】
第一回動支持軸１６２は、軸線方向を前後方向として、施肥フレーム１１０の右側面（支持板１１１）に支持される。第一回動支持軸１６２は、第一枢支ブラケット１６１の下端部を回動可能に支持する。
【００７２】
第二回動機構１７０は、第二上部施肥機１４０を施肥フレーム１１０に対して上方回動可能に支持するものである。第二回動機構１７０は、第一回動機構１６０と略同一構成であるので説明を省略する。
【００７３】
このように構成された第一回動機構１６０により、第一上部施肥機１３０は、第一回動支持軸１６２を中心として上方に回動可能に構成される。
【００７４】
次に図６を用いて、第一ホッパ１３３・１３３の内部にそれぞれ具備される選別網２３０・２３０の構成について詳しく説明する。
なお、第二ホッパ１４３・１４３の内部にそれぞれ具備される選別網２４０・２４０は、選別網２３０・２３０と略同一構成であるので、その説明は省略する。
【００７５】
選別網２３０・２３０は、第一ホッパ１３３・１３３に収容される肥料のうち所定の大きさの肥料のみを第一繰り出し部１３６・１３６へと通過させる網目状の部材である。選別網２３０・２３０は、第一ホッパ１３３・１３３内の上下中途部で水平方向に配置されて、湿気を吸収して固まった肥料塊が第一繰り出し部１３６・１３６に流下するのを阻止するとともに、ブリッジ現象によって肥料の流下が妨げられるのを阻止することもできる。
【００７６】
選別網２３０・２３０は、第二回動支持軸２３１・２３１をそれぞれ具備する。
第二回動支持軸２３１・２３１は、第一ホッパ１３３・１３３内部において第一回動機構１６０の第一回動支持軸１６２と平行に前後方向に配置されて第一ホッパ１３３・１３３に支持される。第二回動支持軸２３１・２３１は第一回動支持軸１６２に対して左右反対側の選別網２３０・２３０の端部に設けられる。本実施の形態においては、選別網２３０・２３０のそれぞれ左側辺が第二回動支持軸２３１・２３１を介して第一ホッパ１３３・１３３内部に上方回動可能に枢支するものである。但し、メンテナンス等を考慮して選別網２３０・２３０は第一ホッパ１３３・１３３に対して着脱可能に構成されている。また、選別網２３０・２３０の第二回動支持軸２３１・２３１とそれぞれ反対側（選別網２３０・２３０のそれぞれ右側）は、第一ホッパ１３３・１３３内面に当接しているが、載置部等を設けて載置する構成であってもよい。こうして、通常時（第一上部施肥機１３０が上方へ回動していない時）には、選別網２３０・２３０は略水平に配置されるように構成される。
【００７７】
内部に残った肥料を排出するために、第一上部施肥機１３０を上方へ回動した際には、選別網２３０・２３０は、自重により第二回動支持軸２３１・２３１から下側鉛直方向に懸吊される。その結果、選別網２３０・２３０（のそれぞれ右側端部）と第一ホッパ１３３・１３３（のそれぞれ内側）とが離間し隙間が形成される。そして選別網２３０・２３０の下方に残存する肥料は、第一ホッパ１３３・１３３の内側の傾斜に従い、第一上部施肥機１３０の上方への回動により肥料が残存する選別網２３０・２３０の下方よりも下側に位置することになった前記隙間から排出される。
【００７８】
前述のとおり第一ホッパ１３３・１３３が互いに対向する側の側面には、それぞれ切り欠き部１３３ａ・１３３ａが形成され、互いの内部空間が連通される。従って、第一上部施肥機１３０が上方へ回動した姿勢において上側の第一ホッパ１３３から排出される肥料は、切り欠き部１３３ａ・１３３ａを介して下側の第一ホッパ１３３の内部へと落下する。そして落下した肥料は、その下側の第一ホッパ１３３の肥料とともに連通孔１３３ｂから下側の第一ホッパ１３３の外部へと排出される。
【００７９】
以上のように構成することにより、第一上部施肥機１３０を上方へ回動した際、選別網２３０・２３０は自由に回動し、選別網２３０・２３０（のそれぞれ右側端部）と第一ホッパ１３３・１３３（のそれぞれ内側）とが離間し隙間が形成されるので、第一ホッパ１３３・１３３内の肥料、特に選別網２３０・２３０の下方に残存する肥料をスムースに排出することができる。よって、施肥装置１００内の肥料の排出及び清掃の効率化を図ることができる。また、選別網２３０・２３０は、第二回動支持軸２３１・２３１により枢支されているため、第一上部施肥機１３０の回動時に選別網２３０・２３０が外れたり、取り付け位置がずれたりすることがない。
【００８０】
また、選別網２３０・２３０を前述と異なる構成とすることができる。
即ち、図７に示すように、選別網２３０・２３０は少なくとも二以上に分割され、第二回動支持軸２３１・２３１はその分割された選別網２３０・２３０のうち第一回動支持軸１６２に最も近い側の選別網２３０・２３０を回動可能に枢支する構成とすることができる。以下、詳しく説明する。
【００８１】
本実施の形態においては、選別網２３０・２３０はそれぞれ略同一の大きさにて二分割されている。ここで、第一ホッパ１３３・１３３の通常時（第一上部施肥機１３０が上方へ回動していない時）において、分割された選別網２３０・２３０のそれぞれ左側を選別網２３０ａ・２３０ａと、それぞれ右側を選別網２３０ｂ・２３０ｂとする。
なお、選別網２３０・２３０は二分割に限定するものではなく本発明の目的を達成できるならば三分割等であってもよい。
【００８２】
第一回動支持軸１６２に対して遠い側の選別網２３０ａ・２３０ａは、それぞれ第一ホッパ１３３・１３３の内側に通常時において選別網２３０ａ・２３０ａが略水平となるように固着される。そして、選別網２３０ｂ・２３０ｂの左側端部（第一回動支持軸１６２と反対側の辺）には第二回動支持軸２３１・２３１が具備される。
【００８３】
選別網２３０ｂ・２３０ｂは、左側端部が第二回動支持軸２３１・２３１により上方回動可能に枢支される。選別網２３０ｂ・２３０ｂの右側端部は、第一ホッパ１３３・１３３内に当接され、通常時において選別網２３０ｂ・２３０ｂは、略水平に配置される。
従って、通常時において選別網２３０ａ・２３０ａと選別網２３０ｂ・２３０ｂとは、互いに略水平となるように第一ホッパ１３３・１３３内に構成される。
【００８４】
内部に残った肥料を排出するために、第一上部施肥機１３０を上方へ回動すると、選別網２３０ｂ・２３０ｂは、自重により第二回動支持軸２３１・２３１を中心回動して下側鉛直方向に懸吊される。その結果、選別網２３０ｂ・２３０ｂ（の右側端部）と第一ホッパ１３３・１３３（のそれぞれ内側）とが離間し隙間が形成される。そして選別網２３０・２３０の下方に残存する肥料は、第一ホッパ１３３・１３３の内側の傾斜に従い、第一上部施肥機１３０の上方への回動により肥料が残存する選別網２３０・２３０の下方よりも下方に位置することになった前記隙間から排出される。
【００８５】
以上のように構成することにより、第一上部施肥機１３０を上方へ回動した際、選別網２３０ｂ・２３０ｂは自由に回動し、選別網２３０ｂ・２３０ｂと第一ホッパ１３３・１３３とが離間し隙間が形成されるので、第一ホッパ１３３・１３３内の肥料、特に選別網２３０・２３０の下方に残存する肥料をスムースに排出することができる。また、第一ホッパ１３３・１３３内の肥料を排出するために回動させることが必要な選別網２３０ｂ・２３０ｂのみを回動可能に構成することにより、選別網の回動が肥料の排出を阻害することを防止することができる。よって、施肥装置１００内の肥料の排出及び清掃の効率化を図ることができる。
そしてさらに、第一上部施肥機１３０を上方へ回動した際に上側となる第一ホッパ１３３から肥料が、切り欠き部１３３ａを介して落下すると、図６に示す第一実施例では、肥料は下側の選別網２３０に当たる可能性があるが、左右分割することにより、選別網２３０ｂの下端の回動量は小さくなり、上から落下する肥料が下側の選別網２３０ｂに当接することが少なくなり、粉砕等を防止することが可能となる。
【００８６】
また、選別網２３０は分割せずに、上方へ回動した際に上側となる第一ホッパ１３３から落下する肥料が下側の第一ホッパ１３３内の選別網２３０に当たらないように、下側の第一ホッパ１３３内の選別網２３０の回動を規制する構成とすることもできる。
即ち、図８に示すように、上方へ回動した際に下側となる外側の第一ホッパ１３３内の選別網２３０の回動軌跡途中に所定の角度において下方への回動を規制する規制部材２３３を第一ホッパ１３３に具備する構成としている。以下、詳しく説明する。
【００８７】
上方へ回動した際に下側となる外側の第一ホッパ１３３内において、選別網２３０が前記同様に第一ホッパ１３３内の上下中途部に水平に配置され、第二回動支持軸２３１が第一回動支持軸１６２に対して左右反対側の選別網２３０の端部に設けられる。そして、前記規制部材２３３は、ピン等の突起部材で構成され、第一ホッパ１３３の前面または後面から内部方向に突設されている。規制部材２３３の配置位置は、選別網２３０の回動軌跡途中であって、第一ホッパ１３３を上方へ回動した状態において、選別網２３０が鉛直方向を向いた角度よりも小さな角度となる位置である。但し、規制部材２３３の配置位置は前記位置に限定するものではなく、第二回動支持軸２３１を選別網２３０に固設して、該第二回動支持軸２３１近傍に規制部材２３３を配置して回動角度を規制する構造とすることもできる。
【００８８】
こうして、前述のように選別網２３０の回動角度を所定の角度に規制することができるようにしている。すなわち、第一上部施肥機１３０を上方へ回動した際には、選別網２３０・２３０は、自重力により第二回動支持軸２３１・２３１を中心に下側鉛直方向に懸吊されようとするが、下側の選別網２３０は規制部材２３３により回動が中途で規制される。即ち、規制部材２３３を備えることにより、選別網２３０の右側端部と第一ホッパ１３３内面との隙間の距離を予め設定することができる。
【００８９】
以上のように構成することにより、第一上部施肥機１３０を上方へ回動した際、選別網２３０と第一ホッパ１３３との隙間の距離を予め設定することができるので、選別網２３０が必要以上に回動することがなく、上側のホッパ内から落下する肥料の排出を阻害することを防止できる。よって、施肥装置１００内の肥料の排出及び清掃の効率化を図ることができる。
【符号の説明】
【００９０】
１        乗用田植機
１００    施肥装置
１１０    施肥フレーム
１２０    第一動力伝達機構
１３０    第一上部施肥機
１３２    第一入力軸
１３３    第一ホッパ
１３５    第一把持部
１３６    第一繰り出し部
１５０    下部施肥機
１５１    施肥搬送部
１５２    施肥部
１６０    第一回動機構
１８０    連結機構
２３０    選別網
２３１    第二回動支持軸
２３３    規制部材
【図１】
2010187599.tif 000003
【図２】
2010187599.tif 000004
【図３】
2010187599.tif 000005
【図４】
2010187599.tif 000006
【図５】
2010187599.tif 000007
【図６】
2010187599.tif 000008
【図７】
2010187599.tif 000009
【図８】
2010187599.tif 000010